(57)【要約】【課題】  基板上にコーティングされたレジスト内のマスクパターンの像を決定するための方法を提供する。【解決手段】  この方法は、基板レベルでマスクパターンの空間像を決定することと、少なくとも２つの直交畳み込みカーネルによって空間像を畳み込み、レジスト内のマスクパターンを表すレジスト像を決定することとを含む。【選択図】図１
2010123959.tif 000002
【特許請求の範囲】
【請求項１】
基板上にコーティングされたレジスト内のマスクパターンの像を決定するための方法であって、基板レベルで前記マスクパターンの空間像を決定することと、幾つかの直交畳み込みカーネルによって前記空間像を畳み込み、前記レジスト内の前記マスクパターンを表すレジスト像を決定することとを含む方法。
【請求項２】
畳み込みカーネルが２次元量子調和振動子の直交解である、請求項１記載の方法。
【請求項３】
前記レジスト像が以下の式によって表され、
【数１】
2010123959.tif 000064
式中、Ｒはビットマップレジスト像であり、Ａは基板レベルでの前記マスクパターンのビットマップ空間像であり、Ｋi、Ｋ1i、Ｋ2iは直交畳み込みカーネルであり、ｃi及びｄiはフィッティング係数であり、０≦ｉ≦∞である、請求項１記載の方法。
【請求項４】
前記レジスト像のクリティカルディメンション値とクリティカルディメンション目標値との差を縮小するために線形最小２乗法を使用して前記フィッティング係数を反復調整するか又は解く、請求項３記載の方法。
【請求項５】
前記フィッティングを正則化し安定化するためにTikhonov-Wahba回帰を使用して前記フィッティング係数を反復調整する、請求項４記載の方法。
【請求項６】
前記レジスト像をクリティカルディメンション値に変換することと、前記クリティカルディメンション値を目標クリティカルディメンション値と比較することと、フィッティング係数を調整して、前記クリティカルディメンション値と前記目標クリティカルディメンション値との差を縮小することをさらに含む、請求項１記載の方法。
【請求項７】
前記畳み込みが、完全基底を形成する複数の直交畳み込みカーネルによって前記空間像を畳み込むことを含む、請求項１記載の方法。
【請求項８】
前記空間像及び前記レジスト像が２次元ビットマップである、請求項１記載の方法。
【請求項９】
前記畳み込みが、前記レジスト像の前記２次元ビットマップを決定するために幾つかの直交畳み込みカーネルによって前記空間像の前記２次元ビットマップの各ピクセルを畳み込むことを含む、請求項８記載の方法。
【請求項１０】
前記レジスト像のモデルが、第１項と第２項との積である双線形項を含み、前記第１項が第１の直交畳み込みカーネルによる前記空間像の前記畳み込みに対応し、前記第２項が第２の直交畳み込みカーネルによる前記空間像の前記畳み込みに対応する、請求項１記載の方法。
【請求項１１】
前記第１及び第２の直交畳み込みカーネルが異なる、請求項１０記載の方法。
【請求項１２】
前記空間像が投影システムにより前記基板上に投影された前記マスクパターンの前記像に対応する、請求項１記載の方法。
【請求項１３】
前記畳み込みが、ＦＰＧＡ又はＧＰＵベースのハードウェア加速を使用して実行される、請求項１記載の方法。
【請求項１４】
基板上にコーティングされたレジスト内のマスクパターンの像を決定するための方法であって、基板レベルで前記マスクパターンの空間像を決定することと、前記レジスト内の前記マスクパターンの前記像を表すレジスト像に前記空間像を変換することとを含み、前記空間像が少なくとも２つの畳み込みカーネルを含むモデルを使用して前記レジスト像に変換され、前記変換が前記少なくとも２つの畳み込みカーネルによって前記空間像を畳み込むことを含み、前記空間像から前記レジスト像への前記変換が回転及び鏡面対称保存の特性を有するような前記少なくとも２つの畳み込みカーネルが選択される、方法。
【請求項１５】
前記畳み込みカーネルが直交カーネルである、請求項１４記載の方法。
【請求項１６】
前記畳み込みカーネルが２次元量子調和振動子の解である、請求項１５記載の方法。
【請求項１７】
前記レジスト像が以下の式によって表され、
【数２】
2010123959.tif 000065
式中、Ｒはビットマップレジスト像であり、Ａは基板レベルでの前記マスクパターンのビットマップ空間像であり、Ｋi、Ｋ1i、Ｋ2iは直交畳み込みカーネルであり、ｃi及びｄiはフィッティング係数であり、０≦ｉ≦∞である、請求項１４記載の方法。
【請求項１８】
前記モデルが、第１項と第２項との積である双線形項を含み、前記第１項が第１の直交畳み込みカーネルによる前記空間像の前記畳み込みに対応し、前記第２項が第２の直交畳み込みカーネルによる前記空間像の前記畳み込みに対応する、請求項１４記載の方法。
【請求項１９】
前記変換が、ＦＰＧＡハードウェアを使用して実行される、請求項１４記載の方法。
【請求項２０】
機械実行可能命令を有するコンピュータプロダクトであって、前記命令が基板上にコーティングされたレジスト内のマスクパターンの像を決定するための方法を実行するために機械によって実行可能であり、前記方法が、基板レベルで前記マスクパターンの空間像を決定することと、少なくとも２つの直交畳み込みカーネルによって前記空間像を畳み込み、前記レジスト内の前記マスクパターンの前記像を表すレジスト像を決定することとを含む、コンピュータプロダクト。
【請求項２１】
前記畳み込みが、ＦＰＧＡハードウェアを使用して実行される、請求項２０記載のコンピュータプロダクト。
【請求項２２】
機械実行可能命令を有するコンピュータプロダクトであって、前記命令が基板上にコーティングされたレジスト内のマスクパターンの像を決定するための方法を実行するために機械によって実行可能であり、前記方法が、基板レベルで前記マスクパターンの空間像を決定することと、前記レジスト内の前記マスクパターンの前記像を表すレジスト像に前記空間像を変換することとを含み、前記空間像が少なくとも２つの畳み込みカーネルを含むモデルを使用して前記空間像が前記レジスト像に変換され、前記変換が前記少なくとも２つの畳み込みカーネルによって前記空間像を畳み込むことを含み、前記空間像から前記レジスト像への前記変換が回転及び鏡面対称保存の特性を有するような前記少なくとも２つの畳み込みカーネルが選択される、コンピュータプロダクト。
【請求項２３】
前記変換が、ＦＰＧＡ又はＧＰＵベースのハードウェアを使用して実行される、請求項２２記載のコンピュータプロダクト。
【発明の詳細な説明】
【技術分野】
【０００１】
[0002]  本発明は、一般に、リソグラフィプロセスに関連する結像結果のシミュレーションを実行するための方法及びコンピュータプロダクトに関する。
【背景技術】
【０００２】
[0003]  リソグラフィ装置は、所望のパターンを基板に、通常は基板のターゲット部分に適用する機械である。例えば、集積回路（ＩＣ）の製造などにリソグラフィ装置を使用することができる。このような場合、代替的にマスク又はレチクルとも呼ばれるパターニングデバイスを使用して、ＩＣの個々のレイヤ上に形成すべき回路パターンを生成することができる。このパターンは、基板（例えば、シリコンウェーハ）上のターゲット部分（例えば、１つ又は複数のダイの一部を含む）に転写することができる。パターンの転写は、典型的に、基板上に設けた放射感応性材料（レジスト）のレイヤへの結像により行われる。一般に、１枚の基板は、連続的にパターン形成される隣接するターゲット部分のネットワークを含む。従来のリソグラフィ装置としては、パターン全体をターゲット部分上に一度に露光することで各ターゲット部分が照射される、いわゆるステッパと、パターンを所与の方向（「スキャン」方向）に放射ビームでスキャンしながら、これに同期してこの方向に平行又は逆平行に基板をスキャンすることで各ターゲット部分が照射される、いわゆるスキャナを含む。パターンを基板にインプリントすることによってパターニングデバイスから基板にパターンを転写することも可能である。
【０００３】
[0004]  実用的なリソグラフィレジストプロセスを開発するために、まず、プロセス最適化のためにリソグラフィシミュレーションツールを使用することが望ましい。その後、実際の基板プリント検証を行うことができる。その課題は、レジストクリティカルディメンション（ＣＤ：Critical Dimension）、レジストパターンの輪郭、及び／又はシミュレーションツールを使用するときに十分な正確さでレジストパターンの輪郭の一部を併合又は切断するかどうかの予測を保証する方法である。レジストモデル較正はシミュレーションプロセスの重大な主要因の１つであり、シミュレーションモデルのロバスト性はもう１つの重要な要因である。
【０００４】
[0005]  典型的なリソグラフィシミュレーションは３つの基本ステップを含む。第一に、問題のフィーチャの空間像を計算する。この空間像計算は、例えば、開口数、露光波長、及びレンズの特性を含む、リソグラフィ装置の光学設定に基づくものである。第二に、露光後ベーク（ＰＥＢ）ステップを実行する。このステップは、（１）熱によってフォトスピード（photo speed）の化学増幅を可能にすること、及び（２）定在波効果によって発生するレジストＣＤの揺れを最小限にすることという２つの機能を提供する。第３のステップは、拡散空間像に基づいてレジストパターンを現像することを含む。
【０００５】
[0006]  一般に、レジストモデリングの従来の手法としては、低速であるがより物理的なプロセスモデリングによるか、又は高速であるが経験的な手法によるという２つがある。しかし、これらのレジストモデリングの手法はいずれも満足な結果をもたらしていない。確かに、これらの手法は、化学プロセスを完全に表すことができないか、及び／又は一般に時間のかかるものである。
【発明の概要】
【０００６】
[0007]  フォトレジスト内のマスクパターンの像を正確かつ迅速にシミュレートする方法を提供することが望ましい。
【０００７】
[0008]  本発明の一態様では、基板上にコーティングされたレジスト内のマスクパターンの像を決定するための方法が提供され、この方法は、基板レベルでマスクパターンの空間像を決定することと、少なくとも２つの直交畳み込みカーネルによって空間像を畳み込み、レジスト内のマスクパターンを表すレジスト像を決定することとを含む。
【０００８】
[0009]  本発明の他の態様では、基板上にコーティングされたレジスト内のマスクパターンの像を決定するための方法が提供され、この方法は、基板レベルでマスクパターンの空間像を決定することと、レジスト内のマスクパターンの像を表すレジスト像に空間像を変換することとを含み、その空間像が少なくとも２つの畳み込みカーネルを含むモデルを使用してその空間像が変換され、その変換が少なくとも２つの畳み込みカーネルによって空間像を畳み込むことを含み、空間像からレジスト像への変換が回転及び鏡面対称保存の特性を有するような少なくとも２つの畳み込みカーネルが選択される。
【０００９】
[0010]  本発明の他の態様では、機械実行可能命令を有するコンピュータプロダクトが提供され、この命令は基板上にコーティングされたレジスト内のマスクパターンの像を決定するための方法を実行するために機械によって実行可能であり、この方法は、基板レベルでマスクパターンの空間像を決定することと、少なくとも２つの直交畳み込みカーネルによって空間像を畳み込み、レジスト内のマスクパターンの像を表すレジスト像を決定することとを含む。
【００１０】
[0011]  本発明の他の実施形態では、機械実行可能命令を有するコンピュータプロダクトが提供され、この命令は基板上にコーティングされたレジスト内のマスクパターンの像を決定するための方法を実行するために機械によって実行可能であり、この方法は、基板レベルでマスクパターンの空間像を決定することと、レジスト内のマスクパターンの像を表すレジスト像に空間像を変換することとを含み、その空間像が少なくとも２つの畳み込みカーネルを含むモデルを使用してレジスト像に変換され、その変換が少なくとも２つの畳み込みカーネルによって空間像を畳み込むことを含み、空間像からレジスト像への変換が回転及び鏡面対称保存の特性を有するような少なくとも２つの畳み込みカーネルが選択される。
【００１１】
[0012]  本発明の上記その他の態様、特徴、及び特性、並びに関連構造要素の動作方法及び機能は、そのすべてが本明細書の一部を形成する添付図面に関連して以下の説明及び特許請求の範囲を検討すると、さらに明らかになり、同様の参照番号は種々の図において対応する部分を示す。しかし、添付図面は例示及び説明のみのためのものであり、本発明の限界を定義するものではないことを明白に理解されたい。本明細書及び特許請求の範囲で使用する単数形は、文脈が明瞭に別の指図をしない限り複数の指示対象を含む。
【図面の簡単な説明】
【００１２】
[0013]  次に、対応する参照記号が対応する部分を示す添付概略図面に関連して、例としてのみ、本発明の諸実施形態について説明する。
【００１３】
【図１】[0014]本発明の一実施形態によるリソグラフィ装置を示す図である。
【図２】[0015]本発明の一実施形態によりレジスト像を入手するプロセスを示す模範的なフローチャートである。
【図３】[0016]図２のプロセスの回転特性を示す図である。
【図４】[0017]図２のプロセスの鏡面対称特性を示す図である。
【図５】[0018]本発明の一実施形態によりレジスト像を入手するプロセスを示す模範的なフローチャートである。
【発明を実施するための形態】
【００１４】
[0019]  図１は、本発明の一実施形態によるリソグラフィ装置を概略的に描写している。この装置は、放射ビームＢ（例えば、ＵＶ放射又は任意の他の適切な放射）を調節するように構成された照明システム（イルミネータ）ＩＬと、パターニングデバイス（例えば、マスク）ＭＡをサポートするように構築され、特定のパラメータに応じてパターニングデバイスを正確に位置決めするように構成された第１の位置決め装置ＰＭに接続されたパターニングデバイスサポート又はマスクサポート構造（例えば、マスクテーブル）ＭＴとを含む。また、この装置は、基板（例えば、レジストコーティングウェーハ）Ｗを保持するように構築され、特定のパラメータに応じて基板を正確に位置決めするように構成された第２の位置決め装置ＰＷに接続された基板テーブル（例えば、ウェーハテーブル）ＷＴ又は「基板サポート」も含む。この装置は、パターニングデバイスＭＡによって放射ビームＢに付与されたパターンを基板Ｗのターゲット部分Ｃ（例えば、１つ又は複数のダイを含む）上に投影するように構成された投影システム（例えば、屈折投影レンズシステム）ＰＳをさらに含む。
【００１５】
[0020]  照明システムは、放射線を誘導し、整形し、又は制御するために、屈折、反射、磁気、電磁気、静電気、又はその他のタイプの光学コンポーネント、あるいはそれらの任意の組合せなどの種々のタイプの光学コンポーネントを含むことができる。
【００１６】
[0021]  パターニングデバイスサポートは、パターニングデバイスの向き、リソグラフィ装置の設計、並びに、例えば、パターニングデバイスが真空環境で保持されるかどうかなどのその他の条件によって決まる方法で、パターニングデバイスを保持する。パターニングデバイスサポートは、機械的、真空、静電気、又はその他のクランプ技法を使用してパターニングデバイスを保持することができる。パターニングデバイスサポートは、例えば、フレーム又はテーブルにすることができ、必要に応じて固定又は可動式にすることができる。パターニングデバイスサポートは、パターニングデバイスが例えば投影システムに対して所望の位置にあることを保証することができる。本明細書で「レチクル」又は「マスク」という用語を使用する場合、「パターニングデバイス」というより一般的な用語と同義と見なすことができる。
【００１７】
[0022]  本明細書で使用する「パターニングデバイス」という用語は、基板のターゲット部分にパターンを作成するために放射ビームの断面にパターンを付与するために使用できる任意のデバイスを指すものと広義に解釈すべきである。例えば、そのパターンが位相シフトフィーチャ又はいわゆるアシストフィーチャを含む場合、放射ビームに付与されたパターンは基板のターゲット部分の所望のパターンに正確に対応しない可能性があることに留意されたい。一般に、放射ビームに付与されたパターンは、集積回路など、ターゲット部分に作成されるデバイス内の特定の機能レイヤに対応する。
【００１８】
[0023]  パターニングデバイスは透過型又は反射型にすることができる。パターニングデバイスの例としては、マスク、プログラマブルミラーアレイ、及びプログラマブルＬＣＤパネルを含む。マスクは、リソグラフィでは周知のものであり、バイナリ、レベンソン型（alternating）位相シフト、及びハーフトーン型（attenuated）位相シフトなどのマスクタイプ、並びに種々のハイブリッドマスクタイプを含む。プログラマブルミラーアレイの一例は、マトリクス配置の小型ミラーを使用し、入射放射ビームを異なる方向に反射するようにそれぞれのミラーを個別に傾けることができる。傾けたミラーは、ミラーマトリクスによって反射された放射ビームにパターンを付与する。
【００１９】
[0024]  本明細書で使用する「投影システム」という用語は、使用する露光放射あるいは液浸液の使用又は真空の使用などのその他の要因に応じて適宜、屈折、反射、反射屈折、磁気、電磁気、及び静電光学システム、又はそれらの任意の組合せを含む、任意のタイプの投影システムを包含するものと広義に解釈すべきである。本明細書で「投影レンズ」という用語を使用する場合、「投影システム」というより一般的な用語と同義と見なすことができる。
【００２０】
[0025]  本明細書に描写されている通り、この装置は透過タイプのものである（例えば、透過マスクを使用する）。代替的に、この装置は、反射タイプのものにすることもできる（例えば、上記で言及したタイプのプログラマブルミラーアレイを使用するか又は反射マスクを使用する）。
【００２１】
[0026]  リソグラフィ装置は、２つ（デュアルステージ）以上の基板テーブル又は「基板サポート」（及び／又は２つ以上のマスクテーブル又は「マスクサポート」）を有するタイプであってもよい。そのような「マルチステージ」マシンでは、追加のテーブル又はサポートを平行して使用するか、又は１つ又は複数の他のテーブル又はサポート上で準備ステップを実行しながら１つ又は複数の他のテーブル又はサポートを露光に使用することができる。
【００２２】
[0027]  また、リソグラフィ装置は、投影システムと基板との間の空間を充填するために比較的高い屈折率を有する液体、例えば、水で基板の少なくとも一部分を覆うことができるタイプのものにすることもできる。例えば、パターニングデバイス（例えば、マスク）と投影システムとの間などのリソグラフィ装置内の他の空間に液浸液を適用することもできる。液浸技法を使用して、投影システムの開口数を増加することができる。本明細書で使用する「液浸」という用語は、基板などの構造を液体に沈めなければならないことを意味するのではなく、露光中に投影システムと基板との間に液体が位置することを意味するだけである。
【００２３】
[0028]  図１を参照すると、イルミネータＩＬは放射源ＳＯから放射ビームを受ける。放射源とリソグラフィ装置は、例えば、放射源がエキシマレーザである場合に、別々の構成要素にすることができる。このような場合、放射源はリソグラフィ装置の一部を形成すると見なされず、放射ビームは、例えば、適切な誘導ミラー及び／又はビームエクスパンダを含むビームデリバリシステムＢＤを用いて、放射源ＳＯからイルミネータＩＬへと渡される。その他の場合には、例えば、放射源が水銀灯である場合に、放射源がリソグラフィ装置の一体部分であってもよい。放射源ＳＯ及びイルミネータＩＬは、必要に応じてビームデリバリシステムＢＤとともに放射システムと呼ぶことができる。
【００２４】
[0029]  イルミネータＩＬは、放射ビームの角度強度分布を調整するように構成されたアジャスタＡＤを含むことができる。一般に、少なくともイルミネータの瞳面における強度分布の外側及び／又は内側半径範囲（一般に、それぞれσ−ｏｕｔｅｒ及びσ−ｉｎｎｅｒと呼ばれる）を調整することができる。加えて、イルミネータＩＬは、インテグレータＩＮ及びコンデンサＣＯなどの種々の他のコンポーネントを含むこともできる。イルミネータを使用して、その断面において所望の均一性及び強度分布を有するように放射ビームを調節することができる。
【００２５】
[0030]  放射ビームＢは、パターニングデバイスサポート（例えば、マスクテーブル）ＭＴ上に保持されたパターニングデバイス（例えば、マスク）ＭＡに入射し、パターニングデバイスによってパターン形成される。パターニングデバイス（例えば、マスク）ＭＡを横断した後、放射ビームＢは投影システムＰＳを通過し、そのシステムが基板Ｗのターゲット部分Ｃにビームを焦点に集める。第２の位置決め装置ＰＷ及び位置センサＩＦ（例えば、干渉計デバイス、リニアエンコーダ、又は容量センサ）を用いて、例えば、異なるターゲット部分Ｃを放射ビームＢの経路内に位置決めするように、基板テーブルＷＴを正確に移動させることができる。同様に、第１の位置決め装置ＰＭ及び他の位置センサ（図１に明確に描写されていない）を使用して、例えば、マスクライブラリから機械的に取り出した後又はスキャン中に、放射ビームＢの経路に対してパターニングデバイス（例えば、マスク）ＭＡを正確に位置決めすることができる。一般に、パターニングデバイスサポート（例えば、マスクテーブル）ＭＴの移動は、ロングストロークモジュール（粗動位置決め）及びショートストロークモジュール（微動位置決め）を用いて認識されるが、これらのモジュールは第１の位置決め装置ＰＭの一部を形成する。同様に、基板テーブルＷＴ又は「基板サポート」の移動は、ロングストロークモジュール及びショートストロークモジュールを使用して認識されるが、これらのモジュールは第２のポジショナＰＷの一部を形成する。（スキャナとは対照的に）ステッパの場合、パターニングデバイスサポート（例えば、マスクテーブル）ＭＴは、単にショートストロークアクチュエータに接続される場合もあれば、固定される場合もある。パターニングデバイス（例えば、マスク）ＭＡ及び基板Ｗは、パターニングデバイスアライメントマークＭ１、Ｍ２及び基板アライメントマークＰ１、Ｐ２を使用してアライメントすることができる。例示されている基板アライメントマークは専用のターゲット部分を占有するが、ターゲット部分間の空間に位置することもできる（これらはスクライブラインアライメントマークとして知られている）。同様に、パターニングデバイス（例えば、マスク）ＭＡ上に複数のダイが設けられる状況では、パターニングデバイスアライメントマークがダイ間に位置することもできる。
【００２６】
[0031]  描写した装置は以下の複数のモードの少なくとも１つで使用することができる。
[0032]１．ステップモードでは、パターニングデバイスサポート（例えば、マスクテーブル）ＭＴ又は「マスクサポート」並びに基板テーブルＷＴ又は「基板サポート」は本質的に静止状態に保持され、放射ビームに付与されたパターン全体が一度に（すなわち、単一静的露光で）ターゲット部分Ｃに投影される。次に、異なるターゲット部分Ｃを露光できるように、基板テーブルＷＴ又は「基板サポート」がＸ方向及び／又はＹ方向にシフトする。ステップモードでは、露光フィールドの最大サイズによって、単一静的露光で結像されるターゲット部分Ｃのサイズが制限される。
[0033]２．スキャンモードでは、パターニングデバイスサポート（例えば、マスクテーブル）ＭＴ又は「マスクサポート」並びに基板テーブルＷＴ又は「基板サポート」は同期的にスキャンされ、放射ビームに付与されたパターンが（すなわち、単一動的露光で）ターゲット部分Ｃに投影される。パターニングデバイスサポート（例えば、マスクテーブル）ＭＴ又は「マスクサポート」に対する基板テーブルＷＴ又は「基板サポート」の速度及び方向は、投影システムＰＳの拡大（縮小）及び像反転特性によって決定することができる。スキャンモードでは、露光フィールドの最大サイズによって、単一動的露光におけるターゲット部分の幅（非スキャン方向）が制限され、スキャン動作の長さによって、ターゲット部分の高さ（スキャン方向）が決定される。
[0034]３．他のモードでは、パターニングデバイスサポート（例えば、マスクテーブル）ＭＴ又は「マスクサポート」はプログラマブルパターニングデバイスを保持して本質的に静止状態に保持され、基板テーブルＷＴ又は「基板サポート」を移動又はスキャンしながら、放射ビームに付与されたパターンがターゲット部分Ｃに投影される。このモードでは、一般にパルス状放射源を使用し、基板テーブルＷＴ又は「基板サポート」を移動するたびに又はスキャン中に連続する放射パルスの間で必要に応じてプログラマブルパターニングデバイスを更新する。この動作モードは、上記で言及したタイプのプログラマブルミラーアレイなどのプログラマブルパターニングデバイスを使用するマスクレスリソグラフィに容易に適用することができる。
【００２７】
[0035]  上記の使用モードの組合せ及び／又は変形あるいは全く異なる使用モードも使用することができる。
【００２８】
[0036]  リソグラフィシミュレーションにおいてレジスト像を決定する従来の手法は、種々の重み付きカーネルによる空間像の畳み込み（又は空間像のピクセル単位の変換）を伴う。このような重み付きカーネルは通常、ガウス関数である。このような手法は一般に、幾つかの理由により望ましくないものである。第一に、従来のモデルの化学プロセスは一般に正確に計算されない。これと同時に、計算時間を大幅に増加せずにモデルの正確さを増すことはできず、これは望ましいことではない。その結果、経験的モデルが一般に使用される。第二に、従来の経験的モデルのフィッティングは一般に難しい。この結果、モデル項のキャンセレーション（cancellation）によって特徴付けられる、潜在的に不安定なフィッティング手順が得られる。現在のモデルは、同様の標準偏差を有する２つのガウスカーネル(Gaussian kernels)を持つことができる。このような２つのカーネルは、相関関係が強く、数値的に不安定になる。第三に、カーネルは任意に選択されるので、物理的意味を持たない。第四に、シミュレーションモデルの現在の項は、フィッティングさせる必要がある多くの非線形パラメータを有する。このため、ユーザとコンピュータプログラムとの間で多くの対話が必要である。ユーザは、複数のフィッティングプロセスを実行し、非線形項のサーチ範囲を変更し、その結果が正確であり物理的に現実的であることを検証しなければならない可能性がある。この手法は、ユーザにとって退屈で時間のかかるものである。この手法はさらにより多くのトレーニングを必要とし、科学というより芸術である。モデル較正の結果は、誰が行っているかに非常に依存する可能性があり、これは生産環境では望ましいことではない。
【００２９】
[0037]  本発明の一態様では、フォトレジスト内のマスクパターンの像を正確かつ迅速にシミュレートするモデルが提供される。本発明の一実施形態によるモデルは、いずれの化学プロセスにも言及しない。むしろ、主に、基礎をなす物理学の数学的及び対称考慮事項に基づくものである。このモデルは、完全な直交基底を形成する畳み込みカーネルによる空間像の畳み込みを含む。基底は無限数のカーネルが存在するときに完全になることは認識されるであろう。一実施形態では、幾つかのカーネルを使用してレジスト像を計算することができる。レジスト像をシミュレートするために畳み込み直交カーネルを使用すると、計算速度、正確さ、及びユーザの対話の点で、従来のシミュレーションモデルを上回る重大な恩恵と予期せぬ結果が得られる。
【００３０】
[0038]  次に図２を参照すると、同図は、本発明の一実施形態によりマスクパターンのレジスト像を入手するプロセス２００を示す模範的なフローチャートを示している。プロセス２００は手順２０５から始まり、そこで、基板レベルでマスクパターンの空間像を決定する。決定された空間像はパターンのビットマップ像から構成される。ビットマップ像は、リソグラフィ装置によって投影されたマスクパターンの像の光強度分布を表す。実際には、マスクパターンの空間像は、ＢｒｉｏｎのＴａｃｈｙｏｎ（商標）又はＬｉｔｈｏｃｒｕｉｓｅｒ（商標）あるいはＫＬＡ−ＴｅｎｃｏｒのＰｒｏｌｉｔｈ（商標）などの既知のリソグラフィソフトウェアシミュレーション技術／プログラムを使用して計算することができる。結像すべきマスクパターンの輪郭は、光近接効果補正（ＯＰＣ：Optical Proximity Correction）を含むことができ、ＧＤＳ、ＧＤＳＩＩ又はＯＡＳＩＳなどの標準化されたデジタルファイルフォーマットで提供され、空間像を計算するためにこれらのリソグラフィソフトウェアシミュレーションプログラムに入力される。
【００３１】
[0039]  これらのソフトウェアプロダクトによるマスクパターンの空間像の決定は、照明源、投影光学系、及びパターン詳細を考慮に入れて、（例えば、マスクから）基板上へのパターンの結像を数学的にモデリングすることを含む。フルチップアプリケーションに十分な高速である効率的なシミュレーション方法は、２次元空間像によって基板上の現実的な３次元強度分布の近似値を求める。リソグラフィモデルの効率的な実現例の１つは以下の形式(formalism)を使用して可能であり、その場合、イメージ（この場合はスカラ形式であり、偏光ベクトル効果を含むように拡張することができる）は瞳面内の信号振幅におけるフーリエ合計として表される。標準的なホプキンス理論によれば、空間像は以下の式で定義することができる。
[0040]（式１）
【数１】
2010123959.tif 000003
式中、Ａ（ｘ）は像平面内の点ｘにおける空間像強度であり（表記の簡略化のために、単一変数で表される２次元座標を使用する）、ｋはソース面上の点を表し、Ｓ（ｋ）は点ｋからのソース強度であり、ｋ’及びｋ”は瞳面上の点であり、Ｍはマスクイメージのフーリエ変換であり、Ｐは瞳関数であり、
【数２】
2010123959.tif 000004
である。上記の導出の重要な態様は、加法順序の変化（ｋにおける合計を内側に移動する）及び指数の変化（ｋ’をｋ＋ｋ’で置換し、ｋ”をｋ＋ｋ”で置換する）であり、その結果、式中の３行目の角括弧の内側の項によって定義される透過クロス係数（ＴＣＣ：Transmission Cross Coefficients）が分離される。これらの係数はマスクパターンとは無関係であり、従って、光学素子又は構成（例えば、ＮＡ及びσ又は詳細なイルミネータプロファイル）のみの知識を使用して事前計算することができる。さらに、所与の例では（式１）はスカラ結像モデルから導出されるが、この形式はベクトル結像モデルに拡張することもでき、偏光コンポーネントが別々に合計されることは注目に値する。
さらに、近似空間像は、ＴＣＣ行列を対角化し、その最大固有値に対応する項を保持することによって決定できる、限られた数のドミナントＴＣＣ項のみを使用することによって計算することができ、すなわち、以下の式が得られる。
[0041]（式２）
【数３】
2010123959.tif 000005
式中、λi（ｉ＝１，．．．，Ｎ）はＮ個の最大固有値を示し、φi（・）はＴＣＣ行列の対応する固有ベクトルを示す。（式２）はまさにすべての項が固有級数展開に保持される場合であり、すなわち、ＮがＴＣＣ行列のランクに等しい場合であることは注目に値する。しかし、実際の適用例では、計算プロセスの速度を上げるためにより小さいＮを選択することによりこの級数を切り捨てることが典型的である。
【００３２】
[0042]  それ故、（式１）は以下のように書き直すことができる。
【数４】
2010123959.tif 000006
（式３）
式中、
【数５】
2010123959.tif 000007
であり、｜・｜は複素数の大きさを示す。
【００３３】
[0043]  十分に大きい数のＴＣＣ項と適切なモデル較正方法を使用することにより、光学投影プロセスの正確な記述を可能にし、空間像の正確な表現を提供する。空間像の計算に関する追加情報は、その内容全体を本明細書に参照により組み込むものとする、２００５年３月２２日発行の米国特許第６，８７１，３３７号"Illumination Optimization For Specific Mask Patterns"から入手することができる。
【００３４】
[0044]  図２に戻って述べると、マスクパターンの空間像Ａを決定した後、この方法は手順２１０に移行し、そこで、レジスト内のパターンを表すレジスト像Ｒを決定するために幾つかの直交畳み込みカーネル（例えば、一実施形態では少なくとも２つの直交畳み込みカーネル）によって空間像Ａを畳み込む。上述の通り、マスクパターンの空間像Ａは、リソグラフィ装置によって投影されたマスクパターンの像の光強度分布を表すビットマップ像である。畳み込みカーネルによるビットマップ像の各点の畳み込みは、レジスト内のその点のエネルギーを平滑化するように動作し、レジスト内のマスクパターンの像を表す第２のビットマップ像を提供する。本質的に、畳み込みカーネルによるマスクパターンの空間像の畳み込みの結果、レジスト内のエネルギーの強度が平均化され、すなわち、ある点のエネルギーと近くのエネルギーが平均化される。
【００３５】
[0045]  次に、このレジスト像を使用して、光近接効果補正、輪郭計算、欠陥検出、又は製造性の検証を行うことができる。
【００３６】
[0046]  本発明の一実施形態では、空間像を畳み込むために使用される畳み込みカーネルは、直交基底を形成する直交カーネルである。一実現例では、これらの直交畳み込みカーネルは、２次元量子調和振動子（two dimensional quantum harmonic oscillator）
【数６】
2010123959.tif 000008
の解ψであり、
【数７】
2010123959.tif 000009
である。
【００３７】
[0047]  この解ψは、
【数８】
2010123959.tif 000010
として極座標で定義することができる。
[0048]（式４）
【数９】
2010123959.tif 000011
又は
【数１０】
2010123959.tif 000012
【００３８】
[0049]
【数１１】
2010123959.tif 000013
であり、Ｒが
【数１２】
2010123959.tif 000014
の形を取ると仮定すると、式４は以下のようになる。
【数１３】
2010123959.tif 000015
【００３９】
[0050]  半径ｒは
【数１４】
2010123959.tif 000016
である係数ｒ0だけスケーリングすることができ、その場合、
【数１５】
2010123959.tif 000017
であることが認識されるであろう。
【００４０】
[0051]  Ｒがαｒ2の関数であり、ｘ≡αｒ2、Ｒ≡ｙ（ｘ）であると仮定すると、上記の関数は以下のようになる。
【数１６】
2010123959.tif 000018
（式５）
ｎ＝０であるときに、この式はラゲールの方程式(Laguerre's equation)であり、その解としてラゲール多項式(Laguerre polynomials)を有する。
【００４１】
[0052]  式５は以下のように書き直すことができる。
【数１７】
2010123959.tif 000019
（式６）
【００４２】
[0053]  ｎ＝０であるときに、式６の解はラゲール多項式Ｌk（ｘ）である。ｎ≠０であるときに、解は以下のホイッタカー関数(Whittaker functions)に基づくものになる。
【数１８】
2010123959.tif 000020
【００４３】
[0054]  このホイッタカー関数は以下の式によって示される。
【数１９】
2010123959.tif 000021
（式７）
【００４４】
[0055]  これは以下のように解Ｓk,n（ｘ）に簡約化する。
【数２０】
2010123959.tif 000022
（式８）
ｎ＝０であるときに、ラゲール多項式が回復される。この多項式は有限である。
【００４５】
[0056]  解Ｓk,n（ｘ）は、以下のように指数重み関数の場合に直交性になる。
【数２１】
2010123959.tif 000023
（式９）
式中、ｋ及びｎは整数であり、δは離散ディラックインジケータ（discrete Dirac Indicator）であり、δ［０］＝１及びｉ≠０の場合にδ［ｉ］＝０である。
この特性は、本発明の一実施形態により２次元カーネルＫk,n（ｒ，θ）を作成するために使用される。これらのカーネルは以下のように定義される。
【数２２】
2010123959.tif 000024
【００４６】
[0057]  カーネルＫk,n（ｒ，θ）の直交性は以下のように検証することができる。
【数２３】
2010123959.tif 000025
ｎ＝０であるときに、この解（ラゲール多項式に基づく）はすべての回転独立関数の完全基底を形成する。
【００４７】
[0058]  空間像Ａは、レジスト像Ｒ、すなわち、レジスト内のマスクパターンの像を決定するために１つ又は複数の畳み込みカーネルＫk,n（ｒ，θ）によって畳み込まれる。一実施形態では、レジスト像Ｒは以下のように計算される。
【数２４】
2010123959.tif 000026
（式１０）
式中、Ｒはビットマップレジスト像であり、Ａは基板レベルでのマスクパターンのビットマップ空間像であり、Ｋi、Ｋ1i、Ｋ2iは直交畳み込みカーネルであり、ｃi及びｄiはフィッティング係数であり、０≦ｉ≦∞である。第１の和
【数２５】
2010123959.tif 000027
は線形と呼ばれ、第２の和
【数２６】
2010123959.tif 000028
は双線形と呼ばれる。
【００４８】
[0059]  それ故、式１０は、２通りのタイプのモデル項、すなわち、（ａ）線形項（Ａ*Ｋi）と、（ｂ）双線形項（Ａ*Ｋi）．（Ａ*Ｋ2i）とを含む。星印（*）は畳み込みを示し、ドット（．）は空間ビットマップ像におけるピクセル単位の乗算を示す。
【００４９】
[0060]  双線形項（Ａ*Ｋi）．（Ａ*Ｋ2i）は、空間像に対するレジスト像の最低位の非線形応答を提供するように含まれる。双線形項は、周波数サポートに関する２乗化と同等のものであり、その結果、周波数の倍増が行われる。確かに、２つの帯域限定信号を掛けると、それぞれの周波数限界が加算される。一実施形態では、レジスト像ピクセルは、空間像ピクセルのサイズの半分に相当する。従って、エイリアシング誤差を持ち込まずに周波数を倍増することは可能である。線形項では、空間像Ａはカーネルによって畳み込まれ、空間像Ａの限界周波数と線形項が同じであることを意味する。しかし、レジスト像は周波数可用性を２回含む。双線形畳み込みは、ＫＬＡ−ＴｅｎｃｏｒのＰｒｏｌｉｔｈ（商標）又はＢｒｉｏｎのＬｉｔｈｏＣｒｕｉｓｅｒ（商標）などの低速の物理モデルで使用される反応拡散方程式の近似値を概念的に求めるために使用される。
【００５０】
[0061]  一実現例では、直交畳み込みカーネルＫk,n（ｒ，θ）は、空間像Ａからレジスト像Ｒへの変換が回転及び鏡面対称保存の特性を有するように選択される。
【００５１】
[0062]  空間像からレジスト像への変換は、回転操作が変換前に行われるか又は変換後に行われるかにかかわらず、その回転操作が変換の結果に影響しない場合に回転対称の特性を有する。例えば、図３は、回転保存の特性を有する変換を示している。図３に示されている通り、まず変換によって計算され、次に回転されたレジスト像３０４は、まず空間像３０２を回転し、次に回転した空間像３０８に変換を適用することによって計算されたレジスト像と同じレジスト像３０６を提供する。
【００５２】
[0063]  同様に、空間像からレジスト像への変換は、対称操作が変換前に行われるか又は変換後に行われるかにかかわらず、その対称操作が変換の結果に影響しない場合に鏡面対称の特性を有する。換言すれば、空間像Ａが対称形（すなわち、Ａ（ｘ，ｙ）＝Ａ（−ｘ，ｙ））である場合、レジスト像Ｒも対称形（すなわち、Ｒ（ｘ，ｙ）＝Ｒ（−ｘ，ｙ））である。例えば、図４は、対称保存の特性を有する変換を示している。図４に示されている通り、まず変換によって計算され、次に対称操作が行われたレジスト像４０４は、まず空間像４０２について対称操作を行い、次にミラー空間像４０４に変換を適用することによって計算されたレジスト像と同じレジスト像４０８を提供する。
【００５３】
[0064]  一実施形態では、線形項に回転保存を提供するカーネルは、ｎ＝０であるカーネルである（ラゲール多項式に基づく）。
【００５４】
[0065]  一実施形態では、双線形項に回転保存を提供する畳み込みカーネルの１対の解は以下のように定義される。
【数２７】
2010123959.tif 000029
及び
【数２８】
2010123959.tif 000030
式中、ｋ、ｋ’、及びｎは整数である。
【００５５】
[0066]  半径ｒは
【数２９】
2010123959.tif 000031
である線形項内の係数ｒ0だけスケーリングすることができる。その結果、線形項に関するカーネルは以下のように書き直すことができる。
【数３０】
2010123959.tif 000032
同様に、半径ｒは
【数３１】
2010123959.tif 000033
である双線形項内の係数ｒ1だけスケーリングすることができる。その結果、双線形項に関するカーネルは以下のように書き直すことができる。
【数３２】
2010123959.tif 000034
【００５６】
[0067]  回転保存の特性に従うためにカーネルがこの形式[0065]を有することが必要であるという証明は、以下の計算によって証明される。
確かに、２つのカーネルが以下の通りであると仮定し、
【数３３】
2010123959.tif 000035
及び
【数３４】
2010123959.tif 000036
但しｋ、ｋ’、ｎ及びｎ’は整数であり、そして、空間像Ａ（ｘ，ｙ）が
【数３５】
2010123959.tif 000037
と定義されると仮定すると、双線形項は以下のようになる。
【数３６】
2010123959.tif 000038
ｎ＝−ｎ’であることが必要である。
【００５７】
[0068]   回転保存の特性に従うためにカーネルがこの形式を有することで十分であるという証明は、以下の計算によって証明される。
任意のＡについて、以下の通りである。
【数３７】
2010123959.tif 000039
まず、変数をデカルト座標から極座標に変換すると、ｘ＝ｒ0ｃｏｓ（θ0）、ｙ＝ｒ0ｓｉｎ（θ0）、ｕ＝ｒｃｏｓ（θ）、ｖ＝ｒｓｉｎ（θ）、ｕ’＝ｒ’ｃｏｓ（θ’）、ｖ’＝ｒ’ｓｉｎ（θ’）という関係が得られる。その場合、第１の積分は以下のようになる。
【数３８】
2010123959.tif 000040
入力像Ａを任意の角度αだけ回転した場合、新しい座標は以下のように示される。
【数３９】
2010123959.tif 000041
次に、上記の変換に関する第１の座標は以下のように示される。
【数４０】
2010123959.tif 000042
係数ｃｏｓ（θ0＋α）は、出力像が回転することを示している。θ＋α→θという変数変換を実行することにより、係数ｃｏｓ（θ＋α）は第１の積分の前に係数ｅ-inαを生成する。変換のもう一方の座標も同様である。第２の積分に関する同様の計算は、係数ｅinαをもたらすことを除いて、同等であり、それ故、第１の係数が簡約される。
【００５８】
[0069]  レジスト像が虚部を含まないことを保証するために、上記の項[0058]の形式を書き直すことができる。それぞれの対の双線形項について、以下の通りである。
【数４１】
2010123959.tif 000043
上記の和は以下のように書き直すことができる（この場合、
【数４２】
2010123959.tif 000044
は実部であり、
【数４３】
2010123959.tif 000045
は虚部である）。
【数４４】
2010123959.tif 000046
但し、
【数４５】
2010123959.tif 000047
及び
【数４６】
2010123959.tif 000048
である。
これら２つの項の和は、ｄnとｄn’がいずれも実数である場合に限り、実数になる。
【００５９】
[0070]  ｄn’がゼロである場合に限り、対称保存の特性が検証される。必要性の証明は、反例として
【数４７】
2010123959.tif 000049
を使用することによって理解することができる。十分性の証明の場合、以下のようにレジスト像のｙ軸に沿って鏡面対称を計算する。
【数４８】
2010123959.tif 000050
ｕ→−ｕという変数変換により、θ→π−θ、ｄｕ→−ｄｕになり、積分限界（integration bound）は以下のように切り替わる。
【数４９】
2010123959.tif 000051
この対称条件は以下のことを意味する。
【数５０】
2010123959.tif 000052
その虚部がゼロである場合に限り、ある数はその共役複素数に等しくなる。上記の項[0069]の形式により、これは、
【数５１】
2010123959.tif 000053
の前の係数ｄn’がゼロに等しいことを意味する。
任意の他の軸に沿った鏡面対称の証明は、上記の項[0068]の回転保存の特性とｙ軸に沿った鏡面対称保存の特性を結合することによって行われる。
【００６０】
[0071]  本発明の一実施形態は、フィッティングされた後のモデルの高速実現例を提供する。式１０では、双線形項の２つのカーネルＫi及びＫ2iはそれぞれ異なる可能性がある。カーネルの固有値変換により、Ｋi及びＫ2iが同じである変換項のみを実現することができる。これにより、適用すべきカーネルの数がｎ2対からｎ項（平均）に削減される。以下の形式では、書き込みを簡単にするために畳み込みを１Ｄとして処理するが、単純な簿記により、この手順は２Ｄフィルタに拡張される。手順は以下の通りである。
所与の固定ｎについて、以下の式を計算する。
【数５２】
2010123959.tif 000054
行列
【数５３】
2010123959.tif 000055
を構築し、その固有値ｗi及び対応する固有ベクトルＶiを計算する。行列
【数５４】
2010123959.tif 000056
を作成し、ベクトル
【数５５】
2010123959.tif 000057
を計算する。
【数５６】
2010123959.tif 000058
という関係が得られる。必要な畳み込みの数は、２乗ではなく、線形に増加する。すべてのｎについて手順を繰り返す。この計算は１回実行し、種々の空間像に適用することができる。
【００６１】
[0072]  次に図５を参照すると、同図は、本発明の一実施形態によりレジスト像Ｒを入手するプロセス５００を示す模範的なフローチャートである。このプロセス５００は手順５０５から始まり、そこで、マスクパターンの空間像Ａを基板レベルで決定する。空間像Ａの計算は、プロセス２００の手順２０５と同じように実行することができる。空間像Ａを入手した後、プロセス５００は手順５１０に移行し、そこで、式１０の複数のフィッティング係数ｃi及びｄiを選択する。フィッティング係数ｃi及びｄiはレジスト像を決定するために反復調整される線形係数である。フィッティング係数ｃi、ｄi、ｒ0、及びｒ1は、自動的に生成するか、又はユーザによって選択することができる。その後、式１０を使用してレジスト像Ｒを計算する（手順５１５）。式１０による空間像Ａの変換の結果として、手順５２０でクリティカルディメンション（ＣＤ）値に変換されるレジスト像Ｒが得られる。得られたＣＤ値（又は輪郭）を手順５２０で目標値と比較する。実際の基板を測定することにより、目標値を求める。測定すべき実際の基板は、空間像を求めるために使用した光学ツールを使用することによって準備する。次に、この方法は手順５３０に移行し、そこで、ＣＤ値が目標ＣＤ値とマッチングするかどうかの判断が行われる。ＣＤ値が所定の範囲内である、すなわち、目標値に等しいか又は目標値に近い場合（ステップ１８：ｙｅｓ）、プロセスは終了し（手順５３５）、ＣＤ値はレジスト内のマスクパターンのクリティカルディメンションの正確な予測を表す。これに対して、ＣＤ値が所定の範囲内ではない場合、この方法は手順５１０に戻り、そこで、フィッティング係数ｃi、ｄi、ｒ0、及びｒ1の新しい値を選択する。
【００６２】
[0073]  手順５１０〜５３０の反復プロセスは、種々のタイプの回帰方式を使用して実行することができる。係数ｃi及びｄiのフィッティングは、過剰決定系(over-determined system)Ｂｘ＝Ｃを解くことから構成され、ｘは決定すべき係数ｃi及びｄiのすべてを含むベクトルを表し、Ｂは各列がレジスト項に対応し、各行が１つのゲージに対応する行列を表し（すなわち、Ｂi,jという項はゲージｉにおける項イメージｊの強度である）、ベクトルＣは目標強度を含む。この系は過剰決定であるので、正確に解くことができない。従って、一実現例では、
【数５７】
2010123959.tif 000059
（式１１）を最小限にするベクトルｘの係数を決定することによってこの系を解く。項αは、固定され、ノイズの量によって決まる。モデルフィッティングという状況では、この手法は、リッジ回帰(ridge regression)、チホノフ正則化(Tikhonov regularization)、又はフィリップス正則化(Philips regularization)として知られている。当業者であれば認識できるように、パラメータαはWahbaルーチンを使用して求めることができる。パラメータαが決定されると、式１１を解いてフィッティング係数を求めることができる。
【００６３】
[0074]  レジスト像を計算するために図２及び図５の諸実施形態に示されているプロセスを使用すると、従来の手法を上回る恩恵が得られる。従来の手法とは反対に、本発明の諸実施形態で使用するカーネルは完全基底を形成する。すべての可能な像の空間をカバーすることが可能であるので、これにより、フィッティングの正確さを改善することができる。
【００６４】
[0075]  その上、従来の手法とは反対に、畳み込みカーネルは直交基底を形成する。この直交性は、縮重(degeneracy)又は冗長性(redundancy)のためにフィッティングプロセス中に式１０の項のリスクキャンセレーション(risk cancellation)を低下させる。その結果、同じ数のカーネルによってより多くのベクトル空間をカバーすることが可能である。
【００６５】
[0076]  加えて、図２及び図５のプロセスはかなり縮小された１組のパラメータによって実行することができ、それ故、従来のシミュレーション方法と比較すると、ユーザ対話をあまり必要としないことが認識されるであろう。例えば、ユーザは、幾つかのサーチ範囲を実験する必要はなく、幾つかの項をオン／オフする必要もない。その代わりに、サーチは簡単であり、設定の数は限られている。
【００６６】
[0077]  さらに、式１０の限られた数の項によってレジスト像Ｒを決定できることが認識されるであろう。例えば、以下のベクトル基底の集合を使用すると、良好な結果が得られる。
【表１】
2010123959.tif 000060
この場合、ｎ、ｋ１、及びｋ２は、双線形項に関する
【数５８】
2010123959.tif 000061
と、線形項に関する
【数５９】
2010123959.tif 000062
という解カーネル（solution kernel）の係数である。
【００６７】
[0078]  一実施形態では、半径のサーチ範囲は以下のように定義される。
【表２】
2010123959.tif 000063
【００６８】
[0079]  計算されたレジスト像Ｒを使用して、パターンのクリティカルディメンション、パターンの輪郭、及びレジストパターンの輪郭の一部を併合又は切断するかどうかを決定することができる。また、計算された像を使用して、光近接効果補正フィーチャのサイズを決定することもできる。さらに、上記で定義された手順及び方法を使用してエッチング像も計算できることが認識されるであろう。
【００６９】
[0080]  レジスト内のマスクの像の計算に関係する種々の動作は機械で実行可能な命令又はコードにより実行できることが認識されるであろう。このような機械実行可能命令はデータ記憶媒体に埋め込むことができる。プロセッサは、この命令を実行するように構成することができる。一実施形態では、レジスト像の計算は、空間像の計算と同様に、ＦＰＧＡ（Field Programmable Gate Array）で実行される。
【００７０】
[0081]  実行可能コードを含む、プログラミングを伴うコンピュータシステムのソフトウェアの機能性は、上記の結像モデルを実現するために使用することができる。このソフトウェアコードは、汎用コンピュータによって実行可能である可能性がある。動作時に、コードと、おそらく関連データレコードは、汎用コンピュータプラットフォーム内に保管することができる。しかし、それ以外の時にソフトウェアは、他の場所に保管すること及び／又は適切な汎用コンピュータシステムにロードするために移送することができる。このため、上述の諸実施形態は、少なくとも１つの機械可読媒体によって実行される１つ又は複数のコードモジュールの形で１つ又は複数のソフトウェア又はコンピュータプロダクトを含む。コンピュータシステムのプロセッサによってこのようなコードを実行すると、プラットフォームは、本質的に本明細書で考察し例示した諸実施形態で実行される方法で諸機能を実現することができる。
【００７１】
[0082]   本明細書で使用するコンピュータ又は機械「可読媒体」などの用語は、実行のためにプロセッサに命令を提供することに関与する任意の媒体を指す。このような媒体は、不揮発性媒体、揮発性媒体、及び伝送媒体を含むがこれらに限定されない多くの形を取ることができる。不揮発性媒体は、例えば、上述のように動作する任意のコンピュータ（複数も可）内のストレージデバイスのいずれかなどの光ディスク又は磁気ディスクを含む。揮発性媒体は、コンピュータシステムのメインメモリなどのダイナミックメモリを含む。物理的な伝送媒体は、コンピュータシステム内のバスを有するワイヤを含む、同軸ケーブル、銅線、及び光ファイバを含む。また、搬送波伝送媒体は、電気信号又は電磁気信号、あるいは無線周波（ＲＦ）及び赤外線（ＩＲ）データ通信中に生成されたものなどの音波又は光波の形を取ることもできる。従って、一般的な形のコンピュータ可読媒体は、例えば、フロッピー（登録商標）ディスク、フレキシブルディスク、ハードディスク、磁気テープ、任意のその他の磁気媒体、ＣＤ−ＲＯＭ、ＤＶＤ、任意のその他の光学媒体、パンチカード、紙テープ、穴のパターンを有する任意のその他の物理媒体などのあまり一般的に使用されない媒体、ＲＡＭ、ＰＲＯＭ、及びＥＰＲＯＭ、ＦＬＡＳＨ−ＥＰＲＯＭ、任意のその他のメモリチップ又はカートリッジ、データ又は命令を移送する搬送波、このような搬送波を移送するケーブル又はリンク、あるいはコンピュータがそこからプログラミングコード及び／又はデータを読み取るか又は送信することができる任意のその他の媒体を含む。このような形のコンピュータ可読媒体の多くは、実行のためにプロセッサに１つ又は複数の命令の１つ又は複数のシーケンスを運搬することに関係する可能性がある。
【００７２】
[0083]  本発明の特定の諸実施形態について上記で説明してきたが、本発明は上記以外にも実施できることが認識されるであろう。この説明は本発明を限定するためのものではない。
【００７３】
[0084]  本稿では、ＩＣの製造におけるリソグラフィ装置の使用への特定の言及がなされているかもしれないが、本明細書に記載されているリソグラフィ装置は、集積光学系、磁気ドメインメモリ用の案内及び検出パターン、フラットパネルディスプレイ、液晶ディスプレイ（ＬＣＤ）、薄膜磁気ヘッドなどの製造などの他の用途を有する可能性があることを理解されたい。当業者であれば、このような別の用途に関連して、本明細書で「ウェーハ」又は「ダイ」という用語を使用する場合、それぞれ「基板」又は「ターゲット部分」というより一般的な用語と同義と見なすことができることを認識するであろう。本明細書で言及している基板は、露光前又は露光後に、例えばトラック（典型的にレジストのレイヤを基板に塗布し、露光したレジストを現像するツール）、メトロロジーツール及び／又はインスペクションツールで処理することができる。適用可能である場合、本明細書の開示内容は、上記その他の基板処理ツールに適用することができる。さらに、基板は、例えば多層ＩＣを作成するために、複数回処理することができ、従って、本明細書で使用する基板という用語は、既に複数の処理済みレイヤを含む基板も指すことができる。
【００７４】
[0085]  また、リソグラフィ装置は、投影システムの最終要素と基板との間の空間を充填するために比較的高い屈折率を有する液体、例えば、水で基板の表面を液浸するタイプのものにすることもできる。例えば、パターニングデバイスと投影システムの第１の要素との間などのリソグラフィ装置内の他の空間に液浸液を適用することもできる。液浸技法は、投影システムの開口数を増加するために当技術分野で周知のものである。
【００７５】
[0086]   本明細書で使用する「放射」及び「ビーム」という用語は、紫外線（ＵＶ）放射（例えば、３６５、２４８、１９３、１５７又は１２６ｎｍの波長あるいはその付近の波長を有する）及び極端紫外線（ＥＵＶ）放射（例えば、５〜２０ｎｍの範囲の波長を有する）並びにイオンビーム又は電子ビームなどの粒子ビームを含むすべてのタイプの電磁放射を含む。
【００７６】
[0087]  「レンズ」という用語は、状況が許せば、屈折、反射、磁気、電磁気及び静電気光学コンポーネントを含む様々なタイプの光学コンポーネントのいずれか１つ又はその組合せを指すことができる。
【００７７】
[0088]  本発明の特定の諸実施形態について上記で説明してきたが、本発明は上記以外の方法でも実施できることが認識されるであろう。例えば、本発明は、上記で開示した方法を記述する機械可読命令の１つ又は複数のシーケンスを含むコンピュータプログラムあるいはこのようなコンピュータプログラムがそこに保管されているデータ記憶媒体（例えば、半導体メモリ、磁気又は光ディスク）の形を取ることができる。
【００７８】
[0089]  上記の説明は例示的なものであって、限定的なものではない。それ故、以下に記載する特許請求の範囲の範囲を逸脱せずに記載されているように本発明に対して変更を加えることができることは当業者にとって明白なことである。
【００７９】
関連出願の相互参照
[0001]  本出願は、その内容全体を本明細書に参照により組み込むものとする２００８年１１月２４日出願の米国特許出願第６１／１１７，３９６号に対する優先権を主張するものである。
【図１】
2010123959.tif 000066
【図２】
2010123959.tif 000067
【図３】
2010123959.tif 000068
【図４】
2010123959.tif 000069
【図５】
2010123959.tif 000070
【外国語明細書】
2010123959000001.pdf